(57)【特許請求の範囲】
【請求項１】
下側から上側方向に対して順番に、第１のパネル接着用部と、底板用部と、支持用部と、第２のパネル接着用部と、が切込み線により折り曲げ可能に連接された組立て可能なシート基材を有する組み立て用ボード立てであって、
前記支持用部は、該支持用部を上下方向に対して折り曲げ可能に形成された切込み線と、前記支持用部が該切込み線から折れ曲がらない状態に保たせるための折れ曲がり防止部と、を有し、
前記第１のパネル接着用部及び/又は前記第２のパネル接着用部の表面に粘着剤層が設けられており、前記第１のパネル接着用部の一端部と前記第２のパネル接着用部の一端部とが接着されていることを特徴とする組み立て用ボード立て。
【請求項２】
前記粘着剤層の上側に剥離紙が剥離可能に貼付されていることを特徴とする請求項１に記載の組み立て用ボード立て。
【請求項３】
前記支持用部は、前記第２のパネル接着用部の横幅寸法よりも横方向に広く形成されたはみ出し部分を有し、前記支持用部において、前記はみ出し部分内、又は前記はみ出し部分と該はみ出し部分以外の部分との境に、前記支持用部を折り曲げ可能に形成された切込み線が設けられていることを特徴とする請求項１または請求項２に記載の組み立て用ボード立て。
【請求項４】
下側から上側方向に対して順番に、第１のパネル接着用部と、底板用部と、支持用部と、第２のパネル接着用部と、が切込み線により折り曲げ可能に連接された組立て可能なシート基材を有する組み立て用ボード立てであって、
前記支持用部は、該支持用部を上下方向に対して折り曲げ可能に形成された切込み線と、前記支持用部が該切込み線から折れ曲がらない状態に保たせるための折れ曲がり防止部と、を有し、
前記折れ曲がり防止部として、前記支持用部を上下方向に折り曲げ可能に形成された切込み線を跨る部分領域の外周辺の内、その一辺部分が該切込み線と交差する位置にあり、更に前記一辺部分に折り曲げ可能に形成された切込み線が設けられ、また、前記一辺部分を除く外周部分に貫通切り込みが形成されており、
前記第１のパネル接着用部及び/又は前記第２のパネル接着用部の表面に粘着剤層が設けられていることを特徴とする組み立て用ボード立て。
【請求項５】
前記第１のパネル接着用部及び前記第２のパネル接着用部の表面に設けられた粘着剤層にシートが貼付され、前記シートの表面に粘着剤層が設けられ、該粘着剤層の表面上に剥離紙が剥離可能に貼付されていることを特徴とする請求項４に記載の組み立て用ボード立て。
【請求項６】
前記第１のパネル接着用部の一端部と前記第２のパネル接着用部の一端部とが接着されていることを特徴とする請求項４に記載の組み立て用ボード立て。
【発明の詳細な説明】
【技術分野】
【０００１】
本発明は、イベントの展示会などの展示会場において、写真、画像、図、文字、などを表示させる際に用いられる展示用パネルボードや、また個人的な鑑賞用として、写真や絵などを立てかけられるようにする組み立て用ボード立てに関する。
【背景技術】
【０００２】
従来、種々の会場において、イベントの展示会、ショールームの展示、作品発表会、等の各種展示が行われているが、それらの展示会においては、種々の写真、画像、図、文字、などを表示するための展示用パネルボードを立てて会場に入場する入場者に見やすい状態で写真や図面などを表示し、また販売促進などの際には、入場者の関心を引き付けるために派手な内容の写真や絵を表示するなどして、様々な用途に展示用パネルボードが利用されている。（例えば、特許文献１、２、参照）
【０００３】
これらの展示用パネルボードを立たせた状態にするためには、パネルボードを種々の置物に立てかけることで、展示用パネルボードの後ろ側に種々の支え部を設けるなどしている。
しかしながら、展示用パネルボードを種々の置物に立てかける場合には、複数の展示用パネルボードを様々な位置に設置する際に、複数の置物を用意したり、それらの置物を移動して用意しなければならず手間や時間が係り不便があり、また、展示用パネルボードの後ろ側に種々の支え部を設ける場合には、展示用パネルボードに大掛かりな支え部を取り付けたり、外すなどの作業に手間や時間がかかるという問題がある。
また、展示会が終了した際に、短時間で多くの展示用パネルボードを搬送させて片付ける場合にも、効率的に片付けができにくいという問題もある。
【０００４】
また、大きいサイズの展示用パネルボードに限らず、個人的な鑑賞用として、机の上に写真や絵画などを立たせておきたい場合があるが、そのような場合には、簡単に写真や絵画をそのまま立たせることができないので、わざわざ立たせることができるように構成された額縁を購入して、その額縁の中に写真や絵を入れるなどして机の上に置くなどしていた。
しかしながら、複数の写真などを机に立たせておきたい場合でも、１枚の写真毎に額縁を購入していたのでは、コストも係り気軽に容易でないという問題がある。
【先行技術文献】
【特許文献】
【０００５】
【特許文献１】特開２００４−３４７６７７号公報
【特許文献２】特開２００４−４９３３３号公報
【発明の概要】
【発明が解決しようとする課題】
【０００６】
そこで、本発明は、展示用パネルボードを立たせる場合でも、パネルボードを立てかけるための置物を用意しなくてもよく、手間や時間をかけることなくパネルボードを立てかけることができるようにした組み立て用ボード立てを提供する。
更に、机の上などに額縁に入れない状態で気軽に写真や絵などを立たせることができ、また、片付けてしまう場合や、机の引き出しなどに保管する場合でも折り畳んで嵩張らない状態にして保管することができるようにした組み立て用ボード立てを提供する。
【課題を解決するための手段】
【０００７】
本発明の組み立て用ボード立ては、下側から上側方向に対して順番に、第１のパネル接着用部と、底板用部と、支持用部と、第２のパネル接着用部と、が切込み線により折り曲げ可能に連接された組立て可能なシート基材を有する組み立て用ボード立てであって、前記支持用部は、該支持用部を上下方向に対して折り曲げ可能に形成された切込み線と、前記支持用部が該切込み線から折れ曲がらない状態に保たせるための折れ曲がり防止部と、を有し、前記第１のパネル接着用部及び/又は前記第２のパネル接着用部の表面に粘着剤層が設けられており、前記第１のパネル接着用部の一端部と前記第２のパネル接着用部の一端部とが接着されていることを特徴とする。
【０００８】
また、本発明の組み立て用ボード立ては、前記粘着剤層の上側に剥離紙が剥離可能に貼付されていることを特徴とする。
【０００９】
更に、本発明の組み立て用ボード立ては、前記支持用部は、前記第２のパネル接着用部の横幅寸法よりも横方向に広く形成されたはみ出し部分を有し、前記支持用部において、前記はみ出し部分内、又は前記はみ出し部分と該はみ出し部分以外の部分との境に、前記支持用部を折り曲げ可能に形成された切込み線が設けられていることを特徴とする。
【００１０】
また、本発明の組み立て用ボード立ては、下側から上側方向に対して順番に、第１のパネル接着用部と、底板用部と、支持用部と、第２のパネル接着用部と、が切込み線により折り曲げ可能に連接された組立て可能なシート基材を有する組み立て用ボード立てであって、前記支持用部は、該支持用部を上下方向に対して折り曲げ可能に形成された切込み線と、前記支持用部が該切込み線から折れ曲がらない状態に保たせるための折れ曲がり防止部と、を有し、前記折れ曲がり防止部として、前記支持用部を上下方向に折り曲げ可能に形成された切込み線を跨る部分領域の外周辺の内、その一辺部分が該切込み線と交差する位置にあり、更に前記一辺部分に折り曲げ可能に形成された切込み線が設けられ、また、前記一辺部分を除く外周部分に貫通切り込みが形成されており、前記第１のパネル接着用部及び/又は前記第２のパネル接着用部の表面に粘着剤層が設けられていることを特徴とする。
【００１１】
更に、本発明の組み立て用ボード立ては、前記第１のパネル接着用部及び前記第２のパネル接着用部の表面に設けられた粘着剤層にシートが貼付され、前記シートの表面に粘着剤層が設けられ、該粘着剤層の表面上に剥離紙が剥離可能に貼付されていることを特徴とする。
【００１２】
また、本発明の組み立て用ボード立ては、前記第１のパネル接着用部の一端部と前記第２のパネル接着用部の一端部とが接着されていることを特徴とする。
【発明の効果】
【００１３】
したがって、本発明の組み立て用ボード立ては、支持用部を上下方向に対して折り曲げ可能に形成された切込み線と、前記支持用部が該切込み線から折れ曲がらない状態に保たせるための折れ曲がり防止部と、を有し、前記第１のパネル接着用部及び/又は前記第２のパネル接着用部の表面に粘着剤層が設けられているので、展示用パネルボードの裏面側に組み立て用ボード立ての粘着剤層で貼り付けるだけで、展示用パネルボードを支えて立たせることができる構成とすることができ、また搬送する場合でも組み立て用ボード立てを折り畳んで搬送させることができるという効果がある。
また、写真や絵などの裏面側に組み立て用ボード立ての粘着剤層で貼り付けるだけで、額縁に入れない状態でも写真や絵などを机の上などに立たせて鑑賞することができ、また、必要に応じて片付けてしまう場合や、机の引き出しなどに保管する場合でも折り畳んで嵩張らない状態にして保管することができるという効果がある。
【００１４】
また、本発明の組み立て用ボード立ては、第１のパネル接着用部及び第２のパネル接着用部の表面に設けられた粘着剤層にシートが貼付され、前記シートの表面に粘着剤層が設けられ、該粘着剤層の表面上に剥離紙が剥離可能に貼付されているので、前記シートの表面に設けられた粘着剤層により簡単に展示用パネルボード、写真、絵などに貼り付けて組み立ててそれらを立たせることができるという効果がある。
【００１５】
更に、本発明の組み立て用ボード立ては、第１のパネル接着用部の一端部と第２のパネル接着用部の一端部とが接着されているので、粘着剤層で展示用パネルボード、写真、絵などに貼り付ける場合でも、貼り付ける位置決めが簡単であるという効果がある。
【００１６】
また、本発明の組み立て用ボード立ては、粘着剤層の上側に剥離紙が剥離可能に貼付されているので、その剥離紙を剥離させるだけで、簡単に展示用パネルボード、写真、絵などに貼り付けて組み立ててそれらを立たせることができるという効果がある。
【００１７】
更に、本発明の組み立て用ボード立ては、支持用部に第２のパネル接着用部の横幅寸法よりも横方向に広く形成されたはみ出し部分又ははみ出し部分の一部を上下方向に形成された切込み線から少しだけ折り込むだけで、簡単に支持用部の折れ曲がりを防止することができるという効果がある。
【００１８】
また、本発明の組み立て用ボード立ては、支持用部を上下方向に折り曲げ可能に形成された切込み線を跨る部分領域の外周辺の内、その一辺部分が該切込み線と交差する位置にあり、更に前記一辺部分に折り曲げ可能に形成された切込み線が設けられ、また、前記一辺部分を除く外周部分に切り込みが形成されているので、その部分領域を切込み線から少しだけ折り曲げるだけで、簡単に支持用部の折れ曲がりを防止することができるという効果がある。
【図面の簡単な説明】
【００１９】
【図１】本発明の第１実施形態に係る組み立て用ボード立ての展開平面図である。
【図２】図１のＡ−Ａ線断面図である。
【図３】図１のＢ−Ｂ線断面図である。
【図４】本発明の第１実施形態に係る組み立て用ボード立てであって、ボードを立たせる場合の組み立て用ボード立ての状態を示す斜視図である。
【図５】本発明の第１実施形態に係る組み立て用ボード立てであって、ボードに組み立て用ボード立てを貼り付けて、組み立て用ボード立てを折り畳んだ状態をボードの裏面側から見た場合を示す斜視図である。
【図６】本発明の第１実施形態に係る組み立て用ボード立てであって、ボードに貼り付けてボードを立たせた場合を、ボードの裏面側から見た場合を示す斜視図である。
【図７】本発明の第１実施形態に係る組み立て用ボード立てであって、第１のパネル接着用部と第２のパネル接着用部とでボードに貼り付けた状態を示す断面図である。
【図８】本発明の第１実施形態に係る組み立て用ボード立てであって、第１のパネル接着用部の一端部と第２のパネル接着用部の一端部とが接着されている構成とした場合において、組み立て用ボード立てをボードに貼り付けた状態を示す断面図である。
【図９】本発明の第１実施形態に係る組み立て用ボード立てであって、第１のパネル接着用部及び第２のパネル接着用部の表面にシートが貼付され、前記シートの表面に粘着剤層が設けられている構成とした場合において、組み立て用ボード立てをボードに貼り付けた状態を示す断面図である。
【図１０】本発明の第２実施形態に係る組み立て用ボード立ての展開平面図である。
【図１１】本発明の第３施形態に係る組み立て用ボード立ての展開平面図である。
【図１２】本発明の第３施形態に係る組み立て用ボード立てを、ボードに接着させて、組み立てた状態を示す斜視図である。
【図１３】本発明の第３施形態に係る組み立て用ボード立てを、ボードに接着させて、折り畳んだ状態を示す斜視図である。
【発明を実施するための形態】
【００２０】
以下、本発明の実施形態に係る組み立て用ボード立てを図面に基づいて詳細に説明する。
まず、本発明の第１実施形態に係る組み立て用ボード立て１は、１枚の組み立て用シート基材２を複数個所から折り畳むことで組み立てることができるように構成されている。
図１に示すように、組み立て用シート基材２は、下側から上側方向に向かって順番に、第１のパネル接着用部８と、底板用部９と、支持用部１０と、第２のパネル接着用部１１と、が折り曲げ可能に形成された複数の切込み線１２，１３，１４を境にして連接されている。
また、第１のパネル接着用部８と第２のパネル接着用部１１の表面には、粘着剤が塗布された粘着剤層１８，１９が設けられており、更に、それらの粘着剤層１８，１９の上側には、剥離紙２０，２１が剥離可能に貼付されている。
そして、剥離紙２０，２１を剥離させることで、粘着剤層１８，１９により組み立て用ボード立て１を、ボードに貼り付けることができるようになっている。
尚、ここでボードとは、写真、絵、などのシート状のものを含み、利用者が立たせた状態にしておきたいと思うシート状や板状のもののことを言う。
【００２１】
また、組み立て用シート基材２の底板用部９は、立て掛けることを目的とするボードに対して組み立て用ボード立てを接着させて、組み立て用ボード立てを組み立てた際に底側の位置となるもので、また、支持用部１０は、底板用部９と第２のパネル接着用部１１とを傾斜状態で支えてボードが倒れることを防止する役目をするものである。
尚、従来から三角状態でパネルなどを支える構成のものは知られているが、折り畳みができない場合が多く、持ち運びの際に不便であるという問題があり、本発明では、特にこの支持用部１０の部分に特有の構成を用いている。
次に、この支持用部１０の構成を中心に説明する。
【００２２】
支持用部１０は、該支持用部１０の上下方向に対して略半分の位置において、該支持用部１０を上下方向に折り曲げ可能に形成された横方向の切込み線１５を有しており、この横方向の切込み線１５から支持用部１０を２つに折り畳めるようになっている。
また、支持用部１０が該切込み線１５から折れ曲がらない状態に保たせるための折れ曲がり防止部も有している。
この折れ曲がり防止部としては、幾つかの構成が考えられ、それらの構成について順次に説明する。
本発明の第１実施形態に係る組み立て用ボード立て１では、折れ曲がり防止部として、支持用部１０の左右方向に第２のパネル接着用部１１の横幅寸法よりも横方向に広く形成されたはみ出し部分１０ａ，１０ｂを有している。
【００２３】
そして、はみ出し部分１０ａ，１０ｂ内、又は前記はみ出し部分１０ａ，１０ｂと該はみ出し部分１０ａ，１０ｂ以外の部分との境に、前記支持用部１０を折り曲げ可能に形成された切込み線１６ａ，１６ｂが設けられている。
【００２４】
上記の構成により、支持用部１０は、支持用部１０の上下方向に対して略半分の位置から横方向の切込み線１５により折り曲げて畳めるように構成されているが、組立て用シート基材２を組み立てた際には、図４に示すように、支持用部１０の両側に設けられているはみ出し部分１０ａ，１０ｂを、所定の角度で縦方向の切込み線１６ａ，１６ｂから折り込むことで、支持用部１０の全体が横方向の切込み線１５から折り曲がらないように固定させることができるようになっている。
つまり、切込み線１６ａ，１６ｂからはみ出し部分１０ａ，１０ｂを折り込むか否かにより、支持用部１０が横方向の切込み線１５から折り畳める状態になるか、折り畳めない状態になるか、利用者が選択できるように構成されている。
尚、底板用部９と支持用部１０とは、折り曲げ可能に形成された切込み線１３により連接されているが、底板用部９とはみ出し部分１０ａ，１０ｂとの間は、図１に示すように隙間を設けるように形成してもよいし、またスリットにより形成するようにしてもよい。
【００２５】
尚、図示の例では、横方向の切込み線１５を支持用部１０の上下方向に対して略半分の位置に形成したが、必ずしも支持用部１０の上下方向に対して略半分の位置でなくてもよく、支持用部１０のいずれかの位置に横方向の切込み線１５を設けるようにしてもよい。
【００２６】
組立て用シート基材２に形成される横方向の切込み線及び縦方向の切込み線は、図２及び図３に示すように、組立て用シート基材２を折り曲げることが可能な状態でそれぞれの位置で切り込まれている。
また、組立て用シート基材２に形成される横方向の切込み線及び縦方向の全ての切込み線は、組立て用シート基材２を折り曲げることが可能であればどのような深さの切り込みであってもよく、また、組立て用シート基材２を貫通する切り込みを形成させて、その切り込み部分に粘着テープなどを貼り付けることで、分離しない状態にして且つ折れ曲がりが可能な状態に構成してもよい。
【００２７】
図５には、組み立て用ボード立て１をボード２２に貼り付けて、組み立て用ボード立て１を折り畳んだ状態が示されているが、組み立て用ボード立て１は、支持用部１０に形成された横方向の切込み線１５から折り込めるので、ボード２２に貼り付けた状態にした場合でも、簡単に折り畳んで薄い状態にして搬送することができるようになっている。
また、そのボードを立たせた場合には、図６に示すように、支持用部１０に形成された横方向の切込み線１５による折れ曲がり状態を元に戻して、支持用部１０の全体が平面状となるようにした後に、縦方向の切込み線１６ａ，１６ｂから支持用部１０のはみ出し部分１０ａ，１０ｂを少し折り曲げることで、支持用部１０が横方向の切込み線１５から折れ曲がらない状態に固定させる。
このようにして、組み立て用ボード立て１をボード２２に貼り付けた後でも、組み立て用ボード立て１を必要に応じて変化させて利用することができるように構成されている。
【００２８】
また、組み立て用ボード立て１をボード２２に貼り付ける部分については、種々の構成を用いることができる。
図７に示す場合では、上記した実施形態により組み立て用ボード立て１をボード２２に貼り付けた際の断面図が示されているが、この場合では、第１のパネル接着用部８と第２のパネル接着用部１１の表面に設けられた粘着剤層１８，１９により、ボード２２に貼り付けている。
【００２９】
また、他の構成としては、図８に示すように、第２のパネル接着用部１１の長さ寸法を長く形成して、第１のパネル接着用部８の表面に接着させた状態にし、更に第２のパネル接着用部１１の表面に粘着剤層２３を設け、その粘着剤層２３の表面に剥離紙を剥離可能に貼付させるようにしてもよい。
図８では、剥離紙を剥離させた後に、粘着剤層２３によりボード２２に組み立て用ボード立て１を貼り付けた状態が示されている。
【００３０】
また、他の構成としては、図９に示すように、第１のパネル接着用部８及び第２のパネル接着用部１１の表面に設けられた粘着剤層１８，１９にシート２４を貼付して、そのシート２４の表面に粘着剤層２５を設けるようにして、その粘着剤層２５の表面上に剥離紙を剥離可能に貼付してもよい。
尚、図９では、シート２４の表面に設けた粘着剤層２５により、ボード２２を貼り付けた状態の断面図が示されている。
上記のように、図８及び図９に示すように第１のパネル接着用部８と第２のパネル接着用部１１とを連結させた構成とした場合には、ボード２２に組み立て用ボード立て１を貼り付ける際に、貼り付け位置が定めやすく、第１のパネル接着用部８と第２のパネル接着用部１１が連結されていない場合に比べて簡単に貼り付けられるという効果がある。
【００３１】
次に、図１０に基づいて、本発明の第２実施形態に係る組み立て用ボード立て３０について説明する。
第２実施形態に係る組み立て用ボード立て３０は、上記で説明した第１実施形態に係る組み立て用ボード１の構成に比較して、支持用部１０の左右方向の一方側だけにはみ出し部分１０ａを設けたものである。
支持用部１０の左右の一方側だけにはみ出し部分１０ａを設けた場合でも、はみ出し部分１０ａを縦方向の切込み線１６ａから少しだけ折り曲げることで、横方向の切込み線１５に対して支持用部１０が折り曲がることを防止することができる。
この場合には、その一方のはみ出し部分１０ａに負荷が係るので、支持するボードが小さいサイズのものに適する。
また、図１０に示す組立て用シート基材３０では、底板用部９の形状を大きめなサイズにしてあり、安定した状態でパネルボード基材を支持できるように構成されている。
【００３２】
次に、図１１に基づいて、本発明の第３実施形態に係る組み立て用ボード立て４０について説明する。
第３実施形態に係る組み立て用ボード立て４０は、上記で説明した第１実施形態に係る組み立て用ボード１の構成に比較して、支持用部１０の左右方向にはみ出し部分１０ａ，１０ｂを設けないで、その代わりに、折れ曲がり防止部として、該支持用部１０の上下方向に対して略半分の位置に形成された切込み線１５を跨る部分領域４１について、その部分領域４１の一部の縦方向の端辺を除く外周部分に組み立て用シート基材２を貫通させて形成した貫通切り込み４２が設けられている。
更に前記貫通切り込み４２が形成されていない一部の縦方向の端辺部分に、折り曲げ可能に形成された縦方向の切込み線４３が設けられていることで、組立て用シート基材２をボードに貼り付けて組み立てる際に、図１２に示すように、その部分領域４１を縦方向の切込み線４３から組立て用シート基材の内側方向に押して折り曲げることで、横方向の切込み線１５に対して支持用部１０が折り曲がることを防止することができるように構成されている。
【００３３】
また、ボード２２に貼り付けた状態の組み立て用ボード立て４０を折り畳む場合には、部分領域４１を縦方向の切込み線４３から折り曲げない状態にもどすことで、横方向の切込み線１５から支持用部１０を半分に折り曲げて畳むことができるように構成されている。
上記したように、本発明の組み立て用ボード立ては、組み立て用ボード立てをボード２２に貼り付けた状態にした場合でも、必要に応じて組み立てや折り畳みをすることができるので、搬送の際には折り畳んで厚さを薄い状態にして搬送することができるという効果がある。
【符号の説明】
【００３４】
１，３０，４０  組み立て用ボード立て
８  第１のパネル接着用部
９  底板用部
１０  支持用部
１０ａ，１０ｂ  はみ出し部分
１１  第２のパネル接着用部
１２，１３，１４，１５，１６ａ，１６ｂ，４３  折り曲げ可能に形成された切込み線
１８，１９，２３，２５  粘着剤層
２０，２１  剥離紙
２２  ボード
２４  シート
４１  切込み線を跨る部分領域
４２  貫通切り込み
【図１】
0005493748.tif 000002
【図２】
0005493748.tif 000003
【図３】
0005493748.tif 000004
【図４】
0005493748.tif 000005
【図５】
0005493748.tif 000006
【図６】
0005493748.tif 000007
【図７】
0005493748.tif 000008
【図８】
0005493748.tif 000009
【図９】
0005493748.tif 000010
【図１０】
0005493748.tif 000011
【図１１】
0005493748.tif 000012
【図１２】
0005493748.tif 000013
【図１３】
0005493748.tif 000014